(57)【要約】【課題】  ユーザ・スケジューリング・アプリケーションを参照する着信通信をユーザに通知するための通知モードを選択するためのシステムを提供すること。【解決手段】  本システムではスケジュールされたユーザ状況に適した通知モードを適用することが可能である。したがって、ユーザがユーザ・スケジューリング・アプリケーションでスケジュールされている活動間を移動する際にユーザは適切な通知モードを手動で選択する必要がない。したがって、着信通信がユーザ活動を妨害する可能性が低くなる。【選択図】  図１
2005354667.tif 000002
【特許請求の範囲】
【請求項１】
メッセージ通知モードを制御する方法であって、
着信通信を検知する工程と、
スケジューリング・アプリケーションから現在のユーザ状況を獲得する工程と、
現在の通知モードを獲得するために前記現在のユーザ状況を通知状態表に適用する工程と、
前記着信通信をユーザに警告するために前記現在の通知モードを使用する工程と
を含むことを特徴とする方法。
【請求項２】
前記スケジューリング・アプリケーションが着信通信を検知する前記工程の日時に対応する日時の特定の状況項目を含有し、前記特定の状況項目が状況項目タイプに関連付けられ、前記現在のユーザ状況を通知状態表に適用する前記工程が前記特定の状況項目に関連付けられた前記状況項目タイプに対応する通知モードを参照する工程を含むことを特徴とする請求項１に記載の方法。
【請求項３】
前記特定の状況項目が単一のスケジュール活動を含むことを特徴とする請求項２に記載の方法。
【請求項４】
前記スケジューリング・アプリケーションが着信通信を検知する前記工程の日時に対応する日時の一般状況項目を含有し、前記一般状況項目が状況項目タイプに関連付けられ、前記ユーザ状況を通知状態表に適用する前記工程が前記一般状況項目に関連付けられた通知モードを参照する工程を含むことを特徴とする請求項１に記載の方法。
【請求項５】
前記一般項目が１日または複数日の選択された時間期間中に適用されるようにスケジュールされた指定の状況を含み、前記特定の状況が前記１日または複数日の各発生ごとに前記選択された時間期間中に適用されることを特徴とする請求項４に記載の方法。
【請求項６】
いくつかの選択可能な通知モードを有する着信通信をユーザに通知するための手段と、
１日中の異なる複数の時間におけるユーザのスケジュールされた状況を記録するための手段と、
通知モードを特定のユーザ状況に関連付けるための手段と、
ユーザの前記スケジュールされた状況を決定し、前記ユーザに宛てられた通信を検知することに応じて前記決定されたスケジュールされた状況について前記関連付けられた通知モードを参照するための手段と、
前記着信通信をユーザに通知する前記手段とを制御するための手段とを備え、通知するための前記手段の前記決定された通知モードが選択されることを特徴とする通信システム。
【請求項７】
通信のための手段をさらに備え、着信通信をユーザに通知するための前記手段が通信のための前記手段に含まれることを特徴とする請求項６に記載のシステム。
【請求項８】
通知モードを特定のユーザ状況に関連付ける前記手段が通信のための前記手段に含まれることを特徴とする請求項７に記載のシステム。
【請求項９】
前記ユーザのスケジュールされた状況を記録するための前記手段が通信のための前記手段に含まれることを特徴とする請求項８に記載のシステム。
【請求項１０】
ユーザのスケジュールされた状況を決定し、前記関連付けられた通知モードを参照するための前記手段が通信のための前記手段に含まれる請求項８に記載のシステム。
【発明の詳細な説明】
【技術分野】
【０００１】
本発明は、電話デバイスによって適用される通知モードの制御に関する。詳細には、本発明は、適切な通知モードの決定に関するスケジューリング・アプリケーションのリファレンスに関する。
【背景技術】
【０００２】
携帯電話、ページャ、およびパーソナル・デジタル・アシスタント（ＰＤＡ）などの他の無線デバイスの急増とともに、望ましくない妨害が増加している。通信デバイスのユーザがユーザ自体の「リング・シグネチャ」をより容易に識別することができるようにユーザが大音量および／または特徴的なリングを選択する能力はそのような妨害の問題を増すだけである。家庭またはオフィス用電話用にリング選好を設定することを望むユーザにとってその問題の関連する態様も存在する。たとえば、ユーザがミーティングに出ているときにリングを手動でミュートしなくても可聴リングを抑制するようオフィス用電話を設定することが望ましい。
【０００３】
妨害リングまたは他の通知モードの従来技術の解決策はユーザによるサイレント・リング・モードの手動作動に依拠する。たとえば、セルラー電話はリンガの代わりに使用できる振動モードを提供することができる。別の代替として、デバイスのスイッチを切るか、またはすべての着信呼を直接メッセージングに回してもらうように選択を行うことができる。しかしながら、多くのユーザは、通常通知モードが妨害される状況に入る前にそのような代替通知モードを選択することを忘れるか、またはわざわざそうしない。結果として、直接的領域でユーザおよび／または他人を妨害する可聴リングがレストラン、ミーティング、セミナ、劇場などでは一般的である。さらに、そのような妨害の可能性および問題はイベントに参加しているかまたは共通の領域にいるグループの大きさが増加するにつれて増加する。特に、従来のデバイスは個々のユーザが妨害の少ない通知モードを作動させることを忘れないことに依拠するので、通常通知モードが使用不能になっていないデバイスによって着信メッセージが受信される確率は高くなる。
【発明の開示】
【発明が解決しようとする課題】
【０００４】
直接ユーザ介入を必要とせずにリング選択を自動的に行うことが望ましい。また、通知モードを管理するユーザ時間および努力が減少するように、また可聴妨害が制限されるように、通知モードを知的に選択できるようにすることも望ましいであろう。
【課題を解決するための手段】
【０００５】
本発明は従来技術のこれらおよび他の問題および欠点を解決することを対象とする。本発明の実施形態によれば、オーバーレイ・アプリケーションまたは通知モード・エンジンがユーザ・スケジューリング・アプリケーションを参照して通知モードの決定を行うことを可能にする。ユーザ・スケジューリング・アプリケーションへのアクセスはユーザのスケジュールされた状況を決定することを可能にする。決定された状況に基づいて、適切な通知モードを通知表から選択することができる。選択された通知モードは次いでユーザに警告するために着信通信に適用することができる。
【０００６】
本発明の実施形態によれば、ユーザ・スケジューリング・アプリケーションはユーザによってまたはユーザの代わりに維持される電子カレンダを備えることができる。そのような電子カレンダは、通信デバイス自体で、または通信デバイスとは異なる場合、通信デバイスによってアクセスすることができる別のプラットフォームおよび／または通知モード・エンジンを稼働しているプラットフォームで稼働することができる。同様に、ユーザのスケジュール状態を適切な通知モードに関連付ける通知状態表は、通知モード・エンジンの一部としてまたはそれに関連して、通知モード・エンジンが稼働しているプラットフォームまたはデバイス上で、または何らかの他のプラットフォームまたはデバイス上で維持することができる。適切な通知モードを決定した後の通知モード・エンジンは次いで、決定された通知モードを適用するために通信デバイスを直接に、または適切な信号を介して制御する。
【０００７】
本発明の実施形態によれば、ユーザは電子カレンダなどのスケジューリング・アプリケーションへの項目を作成する。そのような項目は特定の日時に対してスケジュールされた１つの時間イベントに、または再帰イベントに関連付けられたことができる。さらに、そのような項目は特定の日時に対してスケジュールされたイベント状況に、または平日、週末、週のいくつかの日、休日などの間のある時刻に適用されるべき状況に関連付けられたことができる。項目がスケジュールされたイベントを含む場合、イベントを記述するために使用されるキーワードによってそのイベントに対応するスケジュールされた状況を決定することができる。代替または追加として、特定の語を使用することができるか、またはそのようなスケジュールされた状況が記述されたイベントに関連付けられているか否か、スケジュールされた状況に関して選択を行うことができる。
【０００８】
着信通信が検知されたとき、ユーザのスケジュールされた状況を決定するためにスケジューリング・アプリケーションをチェックすることができる。スケジュールされた状況は次いで適切な通知モードに関連付けられる。本発明の実施形態によれば、適切な通知モードは通知状態表でユーザのスケジュールされた状況に関連付けられた通知モードを参照することによって決定される。通知エンジンは次いで決定された通知モードが適用されるように通信デバイスを制御する。
【０００９】
本発明の追加の特徴および利点は、特に添付の図面と一緒に行う以下の説明からより容易に明らかになろう。
【発明を実施するための最良の形態】
【００１０】
次に図１を参照すると、本発明の実施形態による通信システムシステム１００が示されている。一般に、通信システム１００は通信ネットワーク１１２を介して第２の通信デバイス１０８に相互接続された第１の通信デバイス１０４を含む。さらに、通信システム１００は、直接にまたは通信ネットワーク１１２を介して第１の通信デバイス１０４に関連付けられるかまたはアクセス可能なユーザ・スケジューリング・アプリケーション１１６を含む。通信デバイス１０４または１０８は一般に通信項目エンドポイントとして動作することが可能な任意のデバイスである。したがって、通信デバイス１０４、１０８の例としては電話、無線電話、ソフト電話およびビデオ電話などの電話デバイスなどがある。通信デバイス１０４、１０８の追加の例としては通信機能を有するパーソナル・デジタル・アシスタント（ＰＤＡ）、ページャおよび汎用通信デバイスなどがある。さらに、当業者なら本明細書に記載の説明から理解できるように、通信デバイス１０４、１０８は、追加の機能を与えるデバイス、たとえば集積ＰＤＡおよびセルラー電話の一部とすることができる。
【００１１】
図１に示すように、少なくとも第１のデバイス１０４は通知モード・エンジン１２０および通知状態表１２４を含む。通知モード・エンジン１２０は本明細書のどこかでより詳細に説明するように、ユーザ・スケジューリング・アプリケーション１１６によって示されるように、スケジュールされたユーザ状況に応じて適切な通知モード、および通知状態表１２４によって示されるように、その状況に関連付けられた通知モードを選択するように動作する同じ通信デバイス１０４によって実行されるアプリケーションを含むことができる。通知状態表１２４は通信デバイス１０４に関連付けられたメモリに維持することができ、選択された通知モードをスケジュールされた状況に関連付けることができる。
【００１２】
通信ネットワーク１１２は１つまたは複数のタイプの１つまたは複数のネットワークを含むことができる。たとえば、通信ネットワーク１１２は公衆切換え電話ネットワーク（ＰＳＴＮ）などの切換え回路ネットワーク、および／またはインターネット、イントラネットまたは１つまたは複数のイントラネットとインターネットとの組合せなどのパケット・データ・ネットワークを含むことができる。追加の例として、通信ネットワーク１１２はセルラー電話ネットワークなどの無線音声および／またはデータ・ネットワークを含むことができる。図１に示すように、通信ネットワーク１１２は通信デバイス１０４、１０８の間の音声通信および／またはデータの転送を可能にするために第１の通信デバイス１０４を第２の通信デバイス１０８との通信状態にするのに役立つことができる。さらに、本発明の実施形態によれば、通信デバイス１０４は通信ネットワーク１１２を介してユーザ・スケジューリング・アプリケーション１１６にアクセスすることができる。そのような実施形態によれば、ユーザ・スケジューリング・アプリケーション１１６と第１の通信デバイス１０４の間でデータを転送するために使用される特定の通信ネットワーク１１２は第１の通信デバイス１０４と第２の通信デバイス１０８の間の通信に使用される通信ネットワーク１１２とは異なるものとすることができる。本発明のさらに他の実施形態によれば、第１の通信デバイス１０４は直接ユーザ・スケジューリング・アプリケーション１１６に相互接続するか、またはユーザ・スケジューリング・アプリケーション１１６は第１の通信デバイス１０４の一部としておよび／またはその上で稼動するアプリケーションとして実装することができる。
【００１３】
次に図２を参照すると、本発明の他の実施形態による通信システム２００が示されている。特に、図２に示されるシステム２００は通知モード・エンジン１２０を稼動させ、通知状態表１２４を維持するために通信マネージャ２０４を与える。本発明の実施形態によれば、通信マネージャ２０４は汎用コンピュータまたは他のプログラマブル・デバイス上で稼働するアプリケーションを含むことができる。さらに、ユーザ・スケジューリング・アプリケーション１１６は通信マネージャ２０４とは別なものとして示されているが、本発明の実施形態によれば、ユーザ・スケジューリング・アプリケーション１１６は通信マネージャ２０４と統合することができる。第１のユーザに関連付けられた様々なアプリケーションおよび／またはデバイス１０４、１１６および２０４は、図２に破線で示すように、互いに直接通信することができる。代替または追加として、様々な構成要素１０４、１１６および２０４を通信ネットワーク１１２を介して通信させることができる。第１のユーザに関連付けられたデバイスまたはアプリケーション間の通信に使用される通信ネットワーク１１２は第１の通信デバイス１０４と第２の通信デバイス１０８の間の通信に使用される通信ネットワーク１１２とは異なるものとすることができる。
【００１４】
次に図３を参照すると、本発明の実施形態による通信デバイス１０４または通信ネットワーク２０４の構成要素が示されている。この構成要素はプログラム命令を実行することが可能なプロセッサ３０４を含むことができる。したがって、プロセッサ３０４はアプリケーション・プログラミングを実行するための何らかの汎用プログラマブル・プロセッサまたはコントローラを含むことができる。代替として、プロセッサ３０４は特別に構成された特定用途向け集積回路（ＡＳＩＣ）を含むことができる。プロセッサ３０４は一般に電話、または他の通信機能、スケジュール、通知状態エンジンまたは本明細書で説明する他のアプリケーションを含む、通信デバイス１０４または通信マネージャ２０４によって実行される様々な他の機能を実装するプログラミング・コードを実行するように機能する。
【００１５】
通信デバイス１０４または通信マネージャ２０４はプロセッサ３０４によるプログラミングの実行に関連して使用され、データまたはプログラム命令の一時または長期記憶のためのメモリ３０８をさらに含むことができる。たとえば、メモリ３０８は通知状態表１２４を維持するために使用することができる。メモリ３０８は本来常駐、取外し可能または遠隔のＤＲＡＭまたはＳＲＡＭなどの半導体メモリを含むことができる。プロセッサ３０４がコントローラを含む場合、メモリ３０８はプロセッサ３０４に統合することができる。
【００１６】
さらに、様々なユーザ入力デバイス３１２およびユーザ出力デバイス３１６を設けることができる。入力デバイス３１２の例としてはマイクロフォン、キーボード、数字キーパッドおよびスクリーンまたは他の位置エンコーダと組み合されるポインティング・デバイスなどがある。ユーザ出力デバイス３１６の例としてはスピーカ、英数字ディスプレイ、リンガ、プリンタ・ポート、ＩｒＤＡポートおよびバイブレータなどがある。
【００１７】
通信デバイス１０４または通信マネージャ２０４はまたアプリケーション・プログラミングおよび／またはデータを記憶するための記憶装置３２０を含む。たとえば、オペレーティング・システム・ソフトウェア３２４はデータ記憶装置３２０に記憶することができる。データ記憶装置３２０に記憶することができるアプリケーションの例としてはユーザ・スケジューリング・アプリケーションソフトウェア３２８、通知状態エンジン・ソフトウェア３３２、通知状態表データ３３６、および／または通信アプリケーション３４０などがある。当業者なら理解できるように、通信アプリケーション３４０は、たとえば第１の通信デバイス１０４が汎用コンピュータを含む場合、ソフト電話を実装するためのプログラム命令を含むことができる。さらに、通信アプリケーション３４０はセルラー電話、統合電話およびＰＤＡまたはデバイスの電話設備を含む第１の通信デバイス１０４の様々な機能を制御するためのプログラム命令を含むことができる。データ記憶装置３２０は磁気記憶デバイス、半導体記憶デバイス、光記憶デバイス、論理回路またはそのようなデバイスの組合せを含むことができる。さらに、データ記憶装置３２０に維持することができるプログラムおよびデータはデータ記憶装置３２０の特定の実装に応じて、ソフトウェア、ファームウェアまたはハードウェア論理を含むことができることを理解すべきである。
【００１８】
通信デバイス１０４または通信マネージャ２０４はまた１つまたは複数の通信ネットワーク・インターフェース３４４を含むことができる。たとえば、通信デバイス１０４はセルラー電話ネットワーク・インターフェースを備える通信ネットワーク・インターフェース３４４を含むことができる。さらに、ユーザ・スケジューリング・アプリケーション１１６および／または別の通信マネージャ２０４とともに動作する本発明の実施形態による通信デバイス１０４はたとえば無線データ・ネットワーク接続を備える通信ネットワーク・インターフェース３４４を含むことができる。そのような無線データ・ネットワーク接続３４４は電話ネットワークに相互接続するために通信ネットワーク・インターフェース３４４に追加するかまたはそれとは別にすることができ、または提供された通信ネットワーク・インターフェース３４４はデータと電話通信の両方をサポートすることが可能である。通信デバイス２０４に関して、通信ネットワーク・インターフェース３４４はデータ・ネットワークを含むことができる。音声通信をサポートするための通信ネットワーク・インターフェースの例としてはＣＤＭＡ、ＴＤＭ、ＧＳＭ、ＰＳＭ、衛星無線イーサネット（登録商標）（様々なＩＥＥＥ（８０２．１１（ＷｉＦｉ）インターフェースを含む）、超広帯域、衛星電話、ＩｒＤＡまたは他の無線または有線インターフェースなどがある。
【００１９】
次に図４を参照すると、本発明の実施形態による通信システム１００、２００の動作が示されている。最初に、工程４００において、着信通信を検出する。たとえば、第２の通信デバイス１０８によって置かれた第１の通信デバイスに宛てられた電話呼を第１の通信デバイス１０４上または第１の通信デバイスに関連付けられた通信マネージャ２０４上で稼働する通知モード・エンジン１２０によって検知することができる。通知モード・エンジン１２０は次いで第１の通信デバイス１０４に関連付けられたユーザのため現在の状況を得るためにユーザ・スケジューリング・アプリケーション１１６に連絡する（工程４０４）。
【００２０】
工程４０８において、現在の特定の状況項目がユーザ・スケジューリング・アプリケーション１１６から利用可能かどうかの決定を行う。すなわち、着信通信が検知された日時に対応する日時にユーザがスケジュールされた活動または所望の状況を入力したかどうかの決定を行う。特定の状況項目の例は、ユーザが着信通信の検知された日時にミーティングにいることがスケジュールされていることを示すユーザ・スケジューリング・アプリケーション１１６の項目であろう。特定の状況項目が利用不可能な場合、現在の一般状況項目がユーザ・スケジューリング・アプリケーション１１６で利用可能かどうかの決定を行う（工程４１２）。現在の一般状況項目の例は午後１０時以降の毎晩利用不可能な状況を有するユーザによる選択である。特定または一般状況項目がない場合、現在の状況はデフォルト状況に等しく設定される（工程４１６）。デフォルト状況は、たとえば通常可聴リングに対応することができる。工程４０８において現在の特定状況が利用可能であることが判った場合、工程４２０において現在の状況はその特定の入力状況に等しく設定される。現在の特定状況項目は利用不可能であるが、一般状況項目は利用可能である場合、工程４２０においてその一般状況は現在の状況として設定される。
【００２１】
状況項目は様々な方法でユーザまたはアドミニストレータによって選択または作成することができる。たとえば、本発明の実施形態によれば、ユーザはユーザのスケジューリング・アプリケーション１１６における時間のブロックに関連付けるための利用可能な状況のメニューまたはリストから選択を行うことができる。メニューまたはリストに含めることができる異なる状況選択はリアルタイム通知、非可聴通知、通常可聴通知、大音量可聴通知および組合せ可聴および振動通知モードなどの定量通知モードまたは方法の形態とすることができる。代替または追加として、スケジュールされた状況はユーザのスケジューリング・アプリケーション１１６で指示された時間のブロックに関連付けられるキーワードを検知することによって決定することができる。たとえば、ミーティング、ゲームまたは劇場などのワードはユーザ状況を含むか、またはそれに関連付けることができる。
【００２２】
工程４１６または４２０で現在の状況を設定した後、通知状態表１２４からの現在の状況について通知モードの参照を行う（工程４２４）。工程４２８において、現在の状況についての通知モードが通知状態表１２４で定義されているかどうかの決定を行う。現在の状況について通知モードが定義されている場合、通知モードをその定義されたモードに等しく設定する（工程４３２）。現在の状況について通知モードが定義されていない場合、通知モードをデフォルト・モードに等しく設定する（工程４３６）。
【００２３】
工程４３２または４３６において通知モードを設定した後、通知モード・オーバライドが通信デバイス１０４で手動で設定されたかどうかの決定を行う（工程４４０）。たとえば、ユーザは、妨害を回避する必要性がユーザによってリアルタイムで実現される場合など、直接通信デバイス１０４を使用してそのような選択を行うことによって可聴リングを手動で使用不能にすることができる。ユーザが通知モードを手動でオーバライドしている場合、手動で設定されたモードを使用して着信通信をユーザに通知する（工程４４４）。ユーザが通知モードをオーバライドにしていない場合、工程４３２または４３６において設定された通知モードを使用して着信通信に対してユーザに警告する（工程４４８）。当業者なら理解できるように、通知モード・エンジン１２０は、通知モード・エンジン１２４が通信デバイス１０４上で稼働している場合、通信デバイス１０４によって適用される通知モードを直接制御するように動作することができる。通知モード・エンジン１２０が、通信デバイス１０４とは別の通信マネージャ２０４上など、別のプラットフォーム上で稼働している場合、通知モード・エンジン１２０は使用すべき通知モードを示す通信デバイスに信号を送ることができる。また、通知モード・エンジン１２０が通信デバイス１０４でユーザによって入力された通知モードの手動オーバライドを知る必要はないことを理解されたい。
【００２４】
次に図５を参照すると、本発明の実施形態による通知状態表１２４の内容の例が示されている。特に、図５に示すように、通知状態表１２４はいくつかの異なるユーザ状況５０４についての項目を含むことができる。さらに、通知状態表１２４は通知モード５０８を各異なるユーザ状況５０４に関連付けることができる。そのような対の例としては、ユーザ状況が利用不可能な場合に音声メールに着信通信を送ることを含む通知モード、ミーティング（タイプ１）ユーザ状況に対応する振動のみ通知モード、ミーティング（タイプ２）ユーザ状況に対応するソフト可聴リング、ユーザが映画にいることを示すキーワードに対応する振動のみ通知モード、ユーザがレストランにいることを示すキーボードに関連付けられたソフト可聴リングおよび振動通知モード、ユーザがゲームをしていることを示すキーボードに関連付けられた大音量可聴リングおよび振動通知モード、通勤時間ユーザ状況に関する大音量可聴リング、およびデフォルトまたは定義されないユーザ状況としての通常可聴リングなどがある。
【００２５】
当業者なら理解できるように、本発明の実施形態は、通信デバイスに関連付けられたユーザのスケジュールされた状況に応じて、着信通信によって引起こされる妨害を回避または制限するために、ポータブル通信デバイスとともに適用することができる。しかしながら、本発明はそのように限定されない。たとえば、本発明の実施形態は、家庭またはオフィスでスケジュール活動の妨害を回避するために家庭またはオフィス用電話に適用することができる。さらに、ユーザに関連付けられた多数の通信デバイスは、そのユーザに関連付けられたスケジューリング・アプリケーション１１６へのアクセスを有することができることを理解すべきである。たとえば、ユーザのオフィスコンピュータ上で維持されるユーザ・スケジューリング・アプリケーション１１６は着信通信の適切な通知を与えるために、そのユーザの様々な通信デバイスに関連付けられた１つまたは複数の通知モード・エンジン１２０によるアクセスを可能にすることができる。さらなる例として、ユーザのスケジューリング・アプリケーション１１６を維持することができる中央通信マネージャ２０４は、ユーザに関連付けられたいくつかの通信デバイスによって適用される通知モードを制御することができる。さらに、本発明の実施形態は多数の通信デバイス１０４同士を調整するために適用することができる。たとえば、ユーザがオフィスにいないことをスケジューリング・アプリケーション１１６が示している場合、ユーザのオフィス用電話に対する呼をユーザのセルラー電話に送ることができる。さらなる例として、ユーザのスケジューリング・アプリケーション１１６がユーザの通知状態表１２４と協働して振動通知モードを使用すべきであることを示した場合、そのような通知モードを提供することができない通信デバイス１０４に宛てられた着信通信を、その通知モードを提供することができるユーザの通信デバイスの別のものに再び送ることができる。
【００２６】
本発明の上記の議論は例示および説明の目的で提示した。さらに、説明は本発明を本明細書に開示した形態に限定するものではない。したがって、関連技術の技能および知識内の、上記の教示と同じ変更および修正は本発明の範囲内である。本明細書で説明した実施形態は、本発明を実施する現在知られている最良の態様を説明し、他の当業者が本発明の特定の適用または使用によって必要とされる様々な修正とともにそのような実施形態または他の実施形態で本発明を利用できるようにするものである。添付の特許請求の範囲は従来技術によって可能な範囲まで代替実施形態を含むと解釈すべきものである。
【図面の簡単な説明】
【００２７】
【図１】本発明の実施形態による通信システムを示すブロック図である。
【図２】本発明の他の実施形態による通信システムを示すブロック図である。
【図３】本発明の実施形態による通信デバイスを示すブロック図である。
【図４】本発明の実施形態による通信システムの動作の態様を示すフローチャートである。
【図５】本発明の実施形態による例示的な通知状態表である。
【図１】
2005354667.tif 000003
【図２】
2005354667.tif 000004
【図３】
2005354667.tif 000005
【図４】
2005354667.tif 000006
【図５】
2005354667.tif 000007